(57)【要約】【課題】ＳＣＲ触媒に供給される還元剤の拡散効果を促進し、少量生産向きの排気流案内用ガイド及び排気流案内用ガイドを備える排気浄化装置を提供する。【解決手段】排気流通パイプ１９の上流部１９ａに装備されて流入する排気流を案内する排気流案内用ガイド９であって、平面素材を複数の凸条を有する星型横断面形状に屈曲形成され、下流部を排気流通パイプ１９の上流部１９ａに同軸状に内挿される筒状に形成され、前記の各凸条を形成する２面部９Ａ，９Ｂのうちの一方の面部９Ａには排気が流入する開口９ａが形成され、他方の面部９Ｂには開口９ａから流入した排気を内部に案内する案内壁９ｂが設けられている。【選択図】図１
2012002084.tif 000002
【特許請求の範囲】
【請求項１】
排気流通パイプの上流部に装備されて流入する排気流を案内する排気流案内用ガイドであって、
平面素材を複数の凸条を有する星型横断面形状に屈曲形成され、下流部を前記排気流通パイプの前記上流部に同軸状に内挿される筒状に形成され、
前記の各凸条を形成する２面部のうちの一方の面部には前記排気が流入する開口が形成され、他方の面部には前記開口から流入した排気を内部に案内する案内壁が設けられている
ことを特徴とする、排気流案内用ガイド。
【請求項２】
前記平面素材は、前記一方の面部に予め前記開口を形成された矩形板金であって、前記板金を曲げ加工することにより前記星型横断面形状に屈曲形成される
ことを特徴とする、請求項１記載の排気流案内用ガイド。
【請求項３】
前記排気流通パイプは、ディーゼルエンジンの排気に含まれる粒子状物質（ＰＭ）を捕集するフィルタ（ＤＰＦ）が備えられた上流側排気浄化装置のケーシング内に前記上流部を内装され、流入する排気に、前記上流部の延長線上の前記ケーシング内壁に装備されたノズルから還元剤を噴霧して、前記排気に含まれるＮＯｘを処理する選択還元型触媒が備えられた下流側排気浄化装置に送給する中間パイプであって、
上流端が前記ケーシング内壁の前記ノズルが配設された部位に当接し、前記下流部が前記中間パイプに内挿されて装備される
ことを特徴とする、請求項１又は２記載の排気流案内用ガイド。
【請求項４】
ディーゼルエンジンの排気に含まれる粒子状物質（ＰＭ）を捕集するフィルタ（ＤＰＦ）が備えられた上流側排気浄化装置と、
前記排気に含まれるＮＯｘを処理する選択還元型触媒が備えられた下流側排気浄化装置と、
前記上流側排気浄化装置のケーシング内に上流部を内挿され、流入する排気に還元剤を噴霧して前記選択還元型触媒に送給する中間パイプと、
前記中間パイプの前記上流部に装備されて流入する排気流を案内する、請求項１〜３の何れか１項に記載の排気流案内用ガイドと、
前記中間パイプの前記上流部の延長線上であって前記排気流案内用ガイドに向けて前記ケーシング内壁に装備されたノズルと、を備えている
ことを特徴とする、排気浄化装置。
【発明の詳細な説明】
【技術分野】
【０００１】
本発明は、内燃機関の排気浄化装置、特に排気通路を流通する排気中に還元剤を供給し、下流側の選択還元型触媒に供給して排気を浄化する排気浄化装置に用いて好適の排気流案内用ガイド、及び、この排気流案内用ガイドを備える排気浄化装置に関する。
【背景技術】
【０００２】
内燃機関（以下、エンジンという）、中でもディーゼルエンジンの排気中には、大気汚染物質である煤等の粒子状物質（Particulate Matter、以下、ＰＭと略称する）やＮＯｘ等が含まれている。そこで、エンジンの排気通路に、ＰＭを捕集するためのパティキュレートフィルタ（Diesel Particulate Filter、以下、ＤＰＦと略称する）を設置し、大気中にＰＭが放出されないようにする技術が従来知られている。さらに、エンジンの排気通路に、ＮＯｘを除去するための選択還元型触媒（以下、ＳＣＲ触媒という）を設置し、還元剤としてアンモニアをＳＣＲ触媒に供給することにより、排気中のＮＯｘを還元して排気を浄化するようにした排気浄化触媒装置が用いられている。
【０００３】
このＳＣＲ触媒を用いた排気浄化触媒装置では、ＳＣＲ触媒の上流側の排気中に尿素水を供給することにより、排気熱によって尿素水から分解して生じたアンモニアがＳＣＲ触媒に供給される。ＳＣＲ触媒は、軸方向に互いに平行な微小な穴が複数連通したハニカム構造の担体に、触媒金属が担持されている。ＳＣＲ触媒に供給されたアンモニアは、一旦ＳＣＲ触媒に吸着し、このアンモニアと排気中のＮＯｘとの間の脱硝反応がＳＣＲ触媒によって促進されることによりＮＯｘの還元が行われる。
【０００４】
ところで、ＳＣＲ触媒のＮＯｘ浄化性能を最大限に発揮させるには、ＳＣＲ触媒の各部位にアンモニアを均一に供給することが必須条件であり、そのためには排気中に尿素水を均一に拡散させる必要がある。このため、排気中に還元剤を拡散させるための装置として、下記の特許文献１などが提案されている。
特許文献１に記載の排気浄化装置は、ケーシングを上流側ケーシングと下流側ケーシングとに区画し、上流側ケーシング内には上流から前段酸化触媒，ＤＰＦを装備し、下流側ケーシング内には上流からＳＣＲ触媒，後段酸化触媒を装備して、上流側ケーシング内の下流部に下流側ケーシングと連通する円筒フィンを配設し、この円筒フィン内に還元剤を噴射する噴射ノズルを装備して構成されている。
【０００５】
なお、上流側ケーシング内の前段酸化触媒は、排気中のＮＯを酸化させてＮＯ2を生成し、このＮＯ2によってＤＰＦの連続再生が行われる。一方、下流側ケーシング内の後段酸化触媒は、その上流側のＳＣＲ触媒から流出したアンモニアを酸化してＮ2とする。
上流側ケーシング内に配設された円筒フィンは、上流側ケーシング内を通過した排気を、その外周面に列設された多数の孔（スリット）からその内部に導入する。このとき、各孔に対応するように列設されたフィンにより、各孔を流通する排気を所定方向に案内して、円筒フィン内部で旋回流を生起させる。そのため、円筒フィン内にその先端を突出させて設置された噴射ノズルにより、還元剤としての尿素水が噴射されると、噴射された尿素水は旋回流となった排気により攪拌され混合されて、ＳＣＲ触媒に供給されるようになっている。
【先行技術文献】
【特許文献】
【０００６】
【特許文献１】特開２００９−１５０３３８号公報
【発明の概要】
【発明が解決しようとする課題】
【０００７】
ところで、上記の特許文献１に記載の円筒フィンは、円筒の外周面に軸心線方向に延びた多数のスリットが列設されており、各スリットは正面視で長い台形状をなし、台形の下底以外の３辺を周囲より切り離した上で、下底を基点として台形状の領域を円筒フィンの内周側又は外周側に折り曲げてスリットが形成されると共に、折り曲げた部分がフィンとして機能する。
【０００８】
特許文献１に記載の円筒フィンのように、一般に金属で形成される円筒にスリット及びフィンを形成する加工は、専用の加工機械を用意して大量生産すれば低コストで製造可能である。しかしながら、専用の加工機械の投資回収が困難な少量生産には向いていない。
本発明はこのような課題に鑑み案出されたもので、ＳＣＲ触媒に供給される還元剤の拡散効果を促進することができ、少量生産に対応することができる排気流案内用ガイド及び排気流案内用ガイドを備える排気浄化装置を提供することを目的とする。
【課題を解決するための手段】
【０００９】
上記課題を解決するために、本発明の排気流案内用ガイドは、排気流通パイプの上流部に装備されて流入する排気流を案内する排気流案内用ガイドであって、平面素材を複数の凸条を有する星型横断面形状に屈曲形成され、下流部を前記排気流通パイプの前記上流部に同軸状に内挿される筒状に形成され、前記の各凸条を形成する２面部のうちの一方の面部には前記排気が流入する開口が形成され、他方の面部には前記開口から流入した排気を案内する案内壁が設けられていることを特徴としている。
【００１０】
前記平面素材は、前記一方の面部に予め前記開口を形成された矩形板金であって、前記板金を曲げ加工することにより前記星型横断面形状に屈曲形成されることが好ましい。
前記排気流通パイプは、ディーゼルエンジンの排気に含まれる粒子状物質（ＰＭ）を捕集するフィルタ（ＤＰＦ）が備えられた上流側排気浄化装置のケーシング内に前記上流部を内装され、流入する排気に、前記上流部の延長線上の前記ケーシング内壁に装備されたノズルから還元剤を噴霧して、前記排気に含まれるＮＯｘを処理する選択還元型触媒が備えられた下流側排気浄化装置に送給する中間パイプであって、前記排気流案内用ガイドは、上流端が前記ケーシング内壁の前記ノズルが配設された部位に当接し、前記下流部が前記中間パイプに内挿されて装備されることが好ましい。
【００１１】
また、本発明の排気浄化装置は、ディーゼルエンジンの排気に含まれる粒子状物質（ＰＭ）を捕集するフィルタ（ＤＰＦ）が備えられた上流側排気浄化装置と、前記排気に含まれるＮＯｘを処理する選択還元型触媒が備えられた下流側排気浄化装置と、前記上流側排気浄化装置のケーシング内に上流部を内挿され、流入する排気に還元剤を噴霧して前記選択還元型触媒に送給する中間パイプと、前記中間パイプの上流部に装備されて流入する排気流を案内する、上記何れかの排気流案内用ガイドと、前記中間パイプの前記上流部の延長線上であって前記排気流案内用ガイドに向けて前記ケーシング内壁に装備されたノズルと、を備えていることを特徴としている。
【発明の効果】
【００１２】
本発明の排気流案内用ガイドによれば、平面素材を複数の凸条を有するように屈曲形成して筒状の排気流案内用ガイドが形成されるため、低コストで容易に製作することができ、少量生産に好適である。さらに、各凸条を形成する２面部のうち、一方の面部に開口が形成され、他方の面部に案内壁が設けられているため、開口から流入した排気は、案内壁に衝突し、筒状の排気流案内用ガイド内で旋回流を発生させることができる。
【００１３】
また、平面素材が板金である場合は、開口形成及び屈曲形成を比較的容易に行うことができる。
また、排気流案内用ガイドの上流端がケーシング内壁のノズルが配設された部位に当接し、下流部が中間パイプに内挿されて装備されている場合は、排気流案内用ガイド内に生じる旋回流を利用してノズルから噴霧される還元剤を効率よく拡散させることができる。
【００１４】
本発明の排気浄化装置によれば、排気流案内用ガイドにより中間パイプへ流入する排気の流れを旋回流とすることができ、その中へノズルから還元剤としての尿素水を噴霧するため、排気流案内用ガイド内及び中間パイプ内での排気中への尿素水の拡散を促進できる。また、尿素水の拡散促進に伴い、尿素水の加水分解も促進され、適切な量のアンモニアが下流側排気浄化装置内の選択還元型触媒へ供給されるため、選択還元型触媒によるＮＯｘ浄化率を向上させることができる。
【図面の簡単な説明】
【００１５】
【図１】本発明の一実施形態にかかる排気流案内用ガイドを説明する図であり、図１（ａ）は上流側排気浄化装置のケーシングを後方から見た模式図（図１（ｂ）のＺ方向矢視図）、図１（ｂ）は図１（ａ）のＸ−Ｘ矢視部分断面図、図１（ｃ）は図１（ｂ）のＹ−Ｙ矢視断面図である。
【図２】本発明の一実施形態にかかる排気流案内用ガイドを屈曲形成する前の平面素材を説明する模式的な平面図である。
【図３】本発明の一実施形態にかかる排気流案内用ガイドの模式的な斜視図である。
【図４】本発明の一実施形態にかかる排気浄化装置を示す全体構成図である。
【発明を実施するための形態】
【００１６】
以下、図面により、本発明の実施の形態について説明する。
本発明の一実施形態にかかる排気浄化装置について、図１〜図４を用いて説明する。
まず、本実施形態にかかる排気浄化装置を示す全体構成図である図４を用いて、本実施形態にかかる排気浄化装置を説明する。本実施形態の排気浄化装置はトラックに搭載されており、図４ではトラックへの搭載状態での内燃機関１及び排気浄化装置２の配置を示しており、トラックの床下要部を二点鎖線で示している。なお、以下の説明では、車両を主体として前後方向及び左右方向を規定する。
【００１７】
図4に示すように、トラックにはラダーフレームのシャーシ構造が採用されている。ラダーフレーム３０は、車体の前後方向全体に延設した左右一対のサイドレール３０ａを複数のクロスメンバ３０ｂ（１つのみ図示）により連結して構成され、このラダーフレーム３０上に内燃機関１等のパワープラント及び車体のキャビンや荷台３０ｃ等が搭載されている。図４では、ラダーフレーム３０の左右一対のサイドレール３０ａの一部、及び、ラダーフレーム３０上に設置された荷台３０ｃの一部を二点鎖線で示し、この荷台３０ｃの床下に排気浄化装置２が設置されている。
【００１８】
内燃機関１は、ラダーフレーム３０の左右のサイドレール３０ａ間に位置し、ここでは直列６気筒機関として構成されている。内燃機関１の各気筒には燃料噴射弁３１が設けられ、各燃料噴射弁３１はコモンレール３２から加圧燃料を供給され、開弁に伴って対応する気筒の筒内に燃料を噴射する。
内燃機関１の吸気側には吸気マニホールド３３が装着され、吸気マニホールド３３に接続された吸気通路３４には、上流側よりエアクリーナ３５，ターボチャージャ３６のコンプレッサ３６ａ及びインタークーラ３７が設けられている。また、内燃機関１の排気側には排気マニホールド３８が装着され、排気マニホールド３８には、コンプレッサ３６ａと同軸上に連結されたターボチャージャ３６のタービン３６ｂが接続されている。タービン３６ｂには排気通路３９が接続され、排気通路３９の途中に排気浄化装置２が設けられている。
【００１９】
一方、内燃機関１の後部には変速機４０が結合され、変速機４０の出力軸にはプロペラシャフト４１の前端が連結されている。プロペラシャフト４１は車体の床下で左右のサイドレール３０ａ間を後方に向けて延設され、その後端は図示しないディファレンシャルギアを介して左右の後輪に接続されている。
排気通路３９は、右側のサイドレール３０ａの下側において後方に向けて延設されている。一般的なトラックでは、そのまま排気通路３９が車体後部まで延設されて、この排気通路３９の途中に排気浄化装置２の各構成部材が直列配置されるが、本実施形態のトラックでは荷台の長さの関係で床下の前後スペースに制限があるため、排気通路３９を右側に取り回して側方排気している。この排気通路３９の取り回しの関係により、排気通路３９の途中に設置された排気浄化装置２のレイアウトも変則的なものになっている。以下、詳述する。
【００２０】
排気通路３９の中流部には、排気の流れが車両の長手方向（車長方向）を向くように配置され、前後方向に沿った円筒状のケーシング１１を有する上流側排気浄化装置１０が、右側のサイドレール３０ａの下側に接続されている。ケーシング１１の下流部には、側壁面の一部（一側面）に形成された排気出口１６に対向する位置（他側面）に凹部１１ｂが形成されている。
【００２１】
ケーシング１１の内部の上流側には前段酸化触媒１２が配置され、下流側には排気中に含まれる煤等の粒子状物質（Particulate Matter、以下、ＰＭと略称する）を捕集するためのパティキュレートフィルタ（Diesel Particulate Filter、以下、ＤＰＦと略称する）１３が配置され、さらにＤＰＦ１３の下流側には混合室と称される排気流出空間１４が形成されている。
【００２２】
ケーシング１１の下流部に形成された排気流出口１６には、上流側排気浄化装置１０と下流側排気浄化装置２０とを連結する中間パイプ（排気流通パイプ）１９の上流部１９ａが内装されている。中間パイプ１９は排気通路３９の一部を構成するものであり、最も一般的な円筒状パイプであって、その内径も排気通路３９と略等しく設定されている。また、中間パイプ１９の上流部１９ａには、排気流出空間１４内の排気を中間パイプ１９へ案内する排気流案内用ガイド９の下流部が内挿されている。
【００２３】
中間パイプ１９の上流部１９ａの延長線上でケーシング１１内壁の凹部１１ｂには、電磁式のノズル１５が装備されており、ノズル１５の噴霧口１５ａは排気流出空間１４内に突設されている。ノズル１５は、図示しないタンクから圧送される還元剤としての尿素水を噴霧する。上記した内燃機関１の各気筒の燃料噴射弁３１やノズル１５等のデバイス類及び図示しないセンサ類はＥＣＵ（電子コントロールユニット）４２に接続されており、燃料噴射弁３１やノズル１５等のデバイス類は、センサ類からの検出情報に基づいてＥＣＵ４２により駆動制御される。
【００２４】
上流側排気浄化装置１０内の前段酸化触媒１２及びＤＰＦ１３を通過した排気は、排気流出空間１４から排気流案内用ガイド９へ導入される。排気流案内用ガイド９内へ流入した排気は、ノズル１５から還元剤としての尿素水が噴霧供給され、排気流出口１６（図１参照）を介して中間パイプ１９へ流入し、下流側排気浄化装置２０に送給される。中間パイプ１９の下流部分１９ｂは、下流側排気浄化装置２０のケーシング２１の外周面に溶接されており、上流側排気浄化装置１０の出口部と下流側排気浄化装置２０の入口部とを連通している。
【００２５】
下流側排気浄化装置２０は、右側のサイドレール３０ａの外側で、車長方向に対して上流側排気浄化装置１０の側方に、排気の流れが車幅方向を向くように配置されて、平面視でＴ字型の配置となっている。なお、下流側排気浄化装置２０の配置はこれに限られるものではなく、右側のサイドレール３０ａの外側で、車長方向に対して上流側排気浄化装置１０のケーシング１１の後端部１１ａよりも後方にシフトして、排気の流れが車幅方向を向くように配置されて、平面視でＬ字型の配置としてもよい。
【００２６】
下流側排気浄化装置２０は、車幅方向に沿ったケーシング２１の内部に、アンモニアの供給により排気中に含まれるＮＯｘを還元して排気を浄化する選択還元型触媒（ＳＣＲ触媒）２２と、余剰アンモニアを除去する後段酸化触媒２３とを備えて構成されている。さらに、下流側排気浄化装置２０には、排気通路３９の一部である出口パイプ２９が設けられ、出口パイプ２９は右側に湾曲形成されて車体側方に開口している。なお、出口パイプ２９は排気通路３９の一部を構成するものであり、最も一般的な円筒状パイプであって、その内径も排気通路３９と略等しく設定されている。
【００２７】
ここで、中間パイプ１９の上流部１９ａに装備され、排気流出空間１４から流入する排気流を中間パイプ１９へ案内する排気流案内用ガイド９について、図１〜図３を用いて説明する。図１は、本実施形態にかかる排気流案内用ガイド９を説明する図であり、（ａ）は上流側排気浄化装置１０のケーシング１１を後方から見た模式図、（ｂ）は図１（ａ）のＸ−Ｘ矢視断面図（ただし、排気流案内用ガイド９は側面図）、（ｃ）は図１（ｂ）のＹ−Ｙ矢視断面図である。また、図２は本実施形態にかかる排気流案内用ガイド９の形成前の平面素材を説明する模式的な平面図であり、図３は、本実施形態にかかる排気流案内用ガイド９の模式的な斜視図である。
【００２８】
本実施形態にかかる排気流案内用ガイド９は、図２に示すように形成された１枚の矩形板金の平板を曲げ加工することにより屈曲形成される。この矩形板金には、排気が流入するための開口９ａとなる部位が、矩形板金の長さＬ方向（組立時には周方向となる）に複数（図２では６つ）形成される。開口９ａとなる部位の相互間は、開口９ａから流入した排気を案内する案内壁９ｂとなる部位である。開口９ａは、矩形板金の幅Ｗ方向（組立時には軸方向となる）両端部及び中間部には形成されておらず、これらは案内壁９ｂを互いに接続する接続部９ｃ，９ｄとされる。したがって、矩形板金の幅Ｗ方向に見ると、開口９ａとなる部位は、両端の接続部９ｃ，９ｃ及び中間の接続部９ｄに挟まれて複数（図２では２つ）形成されている。なお、開口９ａは、板金を穴抜き加工することにより形成される。
【００２９】
なお、矩形板金の長さＬは、中間パイプ１９の内径及び排気流案内用ガイド９の横断面の形状及び大きさに応じて設定され、矩形板金の幅Ｗは、ケーシング１１の凹部１１ｂと中間パイプ１９の上流部１９ａとの間隔に応じて設定される。また、開口９ａの間に設けられる接続部９ｄは、排気流案内用ガイド９の剛性を考慮して設けられるものであるため、接続部９ｄが設けられていなくても剛性が保たれる場合は、幅Ｗ方向の開口９ａは１つの連続するものとし、接続部９ｄを設けないことも可能である。中間の接続部９ｄが無ければ、その分、排気流案内用ガイド９内への排気の流入抵抗を低減でき好ましい。もちろん、剛性に対する要求等によっては、開口９ａの間に設けられる接続部９ｄを複数にして、開口９ａを幅Ｗ方向により多数に分割してもよい。
【００３０】
排気流案内用ガイド９は、図２に示す矩形板金の長さＬ方向を屈曲され、図３に示すような、複数（図３では６つ）の凸条を有する星型横断面形状に形成される。このとき、各凸条を形成する２面部９Ａ，９Ｂのうち、一方の面部９Ａには開口９ａが、他方の面部９Ｂには案内壁９ｂが配設されるように、開口９ａと案内壁９ｂとの境界線で折り曲げられて形成される。
【００３１】
ここでは、一方の面部９Ａには接続部９ｃ，９ｄを除く全面に開口９ａが形成されており、排気流案内用ガイド９内への排気の流入効率の点で優れている。もちろん、一方の面部９Ａから接続部９ｃ，９ｄを除いた面の一部に開口９ａを形成することもできる。
また、図２に示すように、矩形板金の長さ方向一端部では、開口９ａの一縁が開放しており、接続部９ｃ，９ｄが案内壁９ｂから突出して形成されている。このため、屈曲形成する際に、この接続部９ｃ，９ｄが、板金の長さ方向他端部の案内壁９ｂに溶接等で固着され、筒状の排気流案内用ガイド９が形成される。
【００３２】
このように形成された排気流案内用ガイド９は、図１（ａ）〜（ｃ）に示すように、その上流端９ｅがケーシング１１の凹部１１ｂの内壁のノズル１５が配設された部位に当接し、その下流部９ｆが中間パイプ１９と同軸上で中間パイプ１９の上流部１９ａに内挿されて装備される。
本実施形態にかかる排気流案内用ガイド９及び排気浄化装置２は上述のように構成されているので、還元剤としての尿素水の噴霧供給は以下のように実施される。
【００３３】
上流側排気浄化装置１０内において、前段酸化触媒１２及びＤＰＦ１３を通過した排気は、上流側排気浄化装置１０の下流部に形成された排気流出空間１４内に流入する。流入した排気は、排気流出空間１４内に設置された排気流案内用ガイド９の複数の凸条の一面部９Ａにそれぞれ形成された開口９ａから筒状の排気流案内用ガイド９の内部へ流入し、他面部９Ｂにそれぞれ設けられた案内壁９ｂの内壁へ衝突して流れの方向を内部へ案内される。このように、複数の開口９ａからそれぞれ流入した排気は、それぞれの案内壁９ｂに衝突することで、筒状の排気流案内用ガイド９内で旋回流を生じる。
【００３４】
一方、中間パイプ１９の上流部１９ａの軸心延長線上でケーシング１１の凹部１１ｂに設けられたノズル１５により、排気流案内用ガイド９へ向けて還元剤としての尿素水が噴霧されると、図１（ａ）中に一点鎖線で示すように、還元剤は排気流案内用ガイド９内を通過し中間パイプ１９の上流部１９ａへと進入していく。
このとき、噴霧された尿素水は、排気流案内用ガイド９内で生じる旋回流により均一に拡散され、排気熱によって加水分解されてアンモニアが生成される。生成されたアンモニアは、中間パイプ１９によって下流側排気浄化装置２０内のＳＣＲ触媒２２へ送給され、ＮＯｘの還元が行われる。
【００３５】
つまり、本実施形態の排気流案内用ガイド９によれば、平面素材である矩形板金の穴あけ工程，折り曲げ工程及び一部溶接等の固着工程により加工できるため、低コストで容易に製作することができ、大量生産を前提とした製造ラインは必要ない。また、特殊な形状のケーシングやパイプを用いるような車両に合わせて形状を設定することができるため、少量生産に好適である。なお、平面素材は板金であれば比較的容易に加工することができるが、板金に限られるものではない。
【００３６】
さらに、本実施形態の排気流案内用ガイド９を備えた排気浄化装置２によれば、排気流案内用ガイド９により中間パイプ１９へ流入する排気の流れを旋回流とすることができる。そして、その中へノズル１５から還元剤としての尿素水を噴霧するため、排気流案内用ガイド９内及び中間パイプ１９内での排気中への尿素水の拡散を促進できる。また、尿素水の拡散促進に伴い、尿素水の加水分解も促進され、適切な量のアンモニアが下流側排気浄化触媒２０内のＳＣＲ触媒２２へ供給されるため、ＳＣＲ触媒２２によるＮＯｘ浄化率を向上させることができる。
【００３７】
以上、本発明の実施形態を説明したが、本発明は上記実施形態に限定されるものではなく、本発明の趣旨を逸脱しない範囲で種々変形することが可能である。
例えば、上記実施形態では、上流側排気浄化装置１０のケーシング１１の下流部には凹部１１ｂが形成されていたが、ケーシング１１は、凹部がない一定の径を有する筒状のケーシングでもよい。この場合、排気流案内用ガイド９の長さを長くして、排気流案内用ガイド９の上流端がケーシングの内壁に当接するようにしてもよく、ノズル１５の噴射口１５ａと排気流案内用ガイド９との間に間隙を設けてもよい。なお、ノズル１５がケーシング１１から突出して配設されるため、車両に搭載する際にノズル１５の位置を確保する必要がある。
【００３８】
また、上記実施形態における排気流案内用ガイドの星型横断面形状は、６つの凸条を有するものであり、円形断面を有する中間パイプ１９と相性がよく内挿し易いものであるが、これに限られず、複数の凸条を有する星型多角形であればよい。例えば、５つの凸条を有する五芒星型横断面形状や、７つの凸条を有する七芒星型横断面形状でもよい。
【符号の説明】
【００３９】
１  内燃機関（エンジン，ディーゼルエンジン）
２  排気浄化装置
９  排気流案内用ガイド
９ａ  開口
９ｂ  案内壁
１０  上流側排気浄化装置
１１  ケーシング
１２  前段酸化触媒
１３  ＤＰＦ（ディーゼルパティキュレートフィルタ）
１４  排気流出空間
１５  ノズル
１６  排気流出口
１９  中間パイプ（排気流通パイプ）
２０  下流側排気浄化装置
２２  ＳＣＲ触媒（選択還元型触媒）
２３  後段酸化触媒
３９  排気通路
【図１】
2012002084.tif 000003
【図２】
2012002084.tif 000004
【図３】
2012002084.tif 000005
【図４】
2012002084.tif 000006